(57)【特許請求の範囲】
【請求項１】
機台にリングプレートが複数設けられた紡機の糸検出装置であって、
前記各リングプレートに、錘毎に設けられた検知部を有する糸センサと、前記糸センサの検出信号に基づいて各錘の糸の状態を判断する判断部とを備えた糸検出ユニットが設けられ、
前記判断部と、主制御装置との間での信号の授受は無線で行われ、
前記各リングプレートには、隣り合うリングプレート間で電力伝送を非接触で行う非接触電力伝送装置が設けられ、前記非接触電力伝送装置を介して前記各糸検出ユニットに電力供給が行われることを特徴とする紡機の糸検出装置。
【請求項２】
前記非接触電力伝送装置は、送電側に設けられた送電コイルと受電側に設けられた受電コイルとの間の電磁誘導により電力伝送を行う請求項１に記載の紡機の糸検出装置。
【請求項３】
前記送電コイルはスイッチング回路を介して電流が供給され、前記スイッチング回路を制御するコントロールＩＣは、前記送電コイルに流れる電流の電流量の変動に対応して前記スイッチング回路のデューティ比を変更する請求項２に記載の紡機の糸検出装置。
【請求項４】
前記糸センサは、給電を必要とせずに検出信号を出力可能な構成である請求項１〜請求項３のいずれか１項に記載の紡機の糸検出装置。
【発明の詳細な説明】
【技術分野】
【０００１】
本発明は、紡機の糸検出装置に係り、詳しくはリング精紡機、リング撚糸機等のリングを有する紡機において糸の状態（糸切れや甘撚り等）を検出する紡機の糸検出装置に関する。
【背景技術】
【０００２】
一般に、この種の糸切れ検出装置は、紡機の各錘に対応して検知部が設けられている。リング精紡機は、１台で数百錘以上を備えており、機台に設けられた主制御装置ですべての検知部の検知信号を処理して糸切れ検出を行う構成では、配線の本数が多くなる。そこで、各リングプレート（リングレール）に検知部の検知信号の処理を行うＣＰＵ及び信号線を備えた制御基板を設け、ＣＰＵで処理された信号を制御基板及び配線基板を介して主制御装置に送る構成の糸切れ検出装置が提案されている（特許文献１参照）。リングプレートは、組み付け性の観点から２４錘単位で分割されており、糸切れ検出装置を構成する制御基板がリングプレート毎に設けられている。リングプレートは精紡機の保全時や紡出条件変更時に取り外す場合があるため、各制御基板間はコネクタを備えた電線で接続されている。
【０００３】
また、少なくとも一つのセンサと、少なくとも一つのアクチュエータを備える紡績機で、前記センサは紡績機の動作状態を感知し、該動作状態を特徴づける信号を送出し、該信号は前記アクチュエータに供給され、該アクチュエータは前記信号に応じて措置を開始する紡績機において、センサとアクチュエータとを無線で接続したものが提案されている（特許文献２参照）。
【先行技術文献】
【特許文献】
【０００４】
【特許文献１】特開２０１０−１１１９８２号公報
【特許文献２】特表２００９−５３１５５３号公報
【発明の概要】
【発明が解決しようとする課題】
【０００５】
特許文献１に記載の糸切れ検出装置は、保全時等にリングプレートを機台から取り外す場合、各制御基板間を接続している電線を取り外す作業が必要になる。接続箇所が多いため作業工数が多く、また繰り返し着脱することで接続部が損傷したり、耐久性が低下したりする可能性もある。
【０００６】
特許文献２の紡績機では、センサからの信号伝送を無線で行うことは開示されているが、制御部への給電については考慮されていない。
本発明は、前記従来の問題に鑑みてなされたものであって、その目的は、機台にリングプレートが複数設けられた紡機において、リングプレートの取り外し時に、糸検出ユニット間の信号配線及び電力伝送用の電線の取り外しや、コネクタの接続解除が不要な紡機の糸検出装置を提供することにある。
【課題を解決するための手段】
【０００７】
前記の目的を達成するため、請求項１に記載の発明は、機台にリングプレートが複数設けられた紡機の糸検出装置であって、前記各リングプレートに、錘毎に設けられた検知部を有する糸センサと、前記糸センサの検出信号に基づいて各錘の糸の状態を判断する判断部とを備えた糸検出ユニットが設けられ、前記判断部と、主制御装置との間での信号の授受は無線で行われる。前記各リングプレートには、隣り合うリングプレート間で電力伝送を非接触で行う非接触電力伝送装置が設けられ、前記非接触電力伝送装置を介して前記各糸検出ユニットに電力供給が行われる。ここで、「糸の状態」とは、糸切れの有無や、甘撚りか否か等を意味する。また、主制御装置とは、紡機の全体の駆動制御を行う制御装置を意味する。
【０００８】
この発明では、機台に設けられた各リングプレートに、糸検出ユニットが設けられており、各リングプレートと対応する錘の糸の状態は、錘毎に設けられた糸センサの検知部の検出信号に基づいて判断部で判断される。そして、判断部から各錘の糸の状態に関する情報が信号として主制御装置に送信される。判断部と、主制御装置との間での信号の授受は無線で行われるため、判断部と主制御装置との間を接続する電線が不要になる。また、糸検出ユニットで使用される電力は、各リングプレートに設けられた非接触電力伝送装置により供給されるため、電力伝送用の電線をリングプレート間に設ける必要がない。したがって、リングプレートの取り外し時に、糸検出ユニット間の信号配線及び電力伝送用の電線の取り外しや、コネクタの接続解除が不要になる。
【０００９】
請求項２に記載の発明は、請求項１に記載の発明において、前記非接触電力伝送装置は、送電側に設けられた送電コイルと受電側に設けられた受電コイルとの間の電磁誘導により電力伝送を行う。電磁誘導による非接触電力伝送は、光や静電誘導による非接触電力伝送に比べて、風綿の影響を受け難く、紡機で使用するのに適している。
【００１０】
請求項３に記載の発明は、請求項２に記載の発明において、前記送電コイルはスイッチング回路を介して電流が供給され、前記スイッチング回路を制御するコントロールＩＣは、前記送電コイルに流れる電流の電流量の変動に対応して前記スイッチング回路のデューティ比を変更制御する。
【００１１】
電磁誘導で電力伝送を行う場合、受電側の消費電力に見合った量の電力を送電し、定電圧制御するのが好ましいが、その場合、一般に、受電側の電圧の変動に応じて送電側のデューティ比を変更するＰＷＭ方式がとられる。しかし、この方式は受電側からの帰還回路が必要になり、これらは非接触で構成する場合は特に回路の複雑化、実装面積の増大を招く。リングプレートは運転時に昇降動作するため、形状、大きさに制限があり、糸検出装置の構成をできるだけ小さくする必要がある。
【００１２】
この発明では、送電コイルはスイッチング回路を介して電流が供給され、スイッチング回路のデューティ比を、送電コイルに流れる電流の電流量の変動に対応してコントロールＩＣが変更制御する。そのため、送電側の電流量と、受電側の消費電力との関係を事前に明らかにしておき、送電側の電流量の変動に応じてデューティ比を変更して受電側の電圧を一定に制御することにより、受電側からの帰還回路を省略でき、回路の複雑化、実装面積の増大を回避することができる。
【００１３】
請求項４に記載の発明は、請求項１〜請求項３のいずれか１項に記載の発明において、前記糸センサは、給電を必要とせずに検出信号を出力可能な構成である。ここで、「給電を必要とせずに検出信号を出力可能な構成」とは、例えば、磁性材料製のリング上を磁性材料製のトラベラが周回する際に、トラベラが磁気回路を横切ることによる電磁誘導作用によりトラベラ１３の走行を検知してパルス信号を出力する構成を意味する。
【００１４】
糸センサが糸検出に電力を使用する構成、例えば、光センサや静電誘導を利用したセンサの場合、１錘毎の消費電力は僅かでも、紡機１台当たりの錘数が多いため、非接触電力伝送で伝送する電力量が大きくなり、糸検出装置が大型化する。しかし、この発明では、糸センサは、給電を必要とせずに検出信号を出力可能な構成であるため、糸検出装置の大型化を回避することができる。
【発明の効果】
【００１５】
本発明によれば、機台にリングプレートが複数設けられた紡機において、リングプレートの取り外し時に、糸検出ユニット間の信号配線及び電力伝送用の電線の取り外しや、コネクタの接続解除が不要な紡機の糸検出装置を提供することができる。
【図面の簡単な説明】
【００１６】
【図１】（ａ）はリングプレートと糸切れ検出装置との関係を示す模式平面図、（ｂ）はリングプレートに設けられた糸切れ検出ユニット間の電力伝送構成を示す回路図。
【図２】リングとセンサとの位置関係を示す模式断面図。
【図３】支持部材の取り付け状態を示す模式断面図。
【図４】電源から電力が供給されるリングプレートの部分模式平面図。
【図５】別の実施形態の電力供給構成を示すリングプレートの部分模式平面図。
【図６】別の実施形態の電源コイルと受電コイルの配置を示す模式平面図。
【発明を実施するための形態】
【００１７】
以下、本発明を紡機としてのリング精紡機の糸切れ検出装置に具体化した一実施形態を図１〜図４にしたがって説明する。
リング精紡機は、機台の左右両側にリングプレートが隣接して複数、一列に設けられている。リングプレートは、組み付け性の観点から２４錘単位で分割されており、例えば、４８０錘の機台であれば片側にそれぞれ１０個のリングプレートが設けられており、９６０錘の機台であれば片側にそれぞれ２０個のリングプレートが設けられている。
【００１８】
図１（ａ）に示すように、リングプレート１１にはリング１２が一定間隔で固定されている。図２に示すように、各リング１２のリングフランジ１２ａ上にはトラベラ１３が摺動可能に取り付けられている。
【００１９】
各リングプレート１１には、錘毎に設けられた糸センサ１４と、糸センサ１４の検出信号に基づいて各錘の糸の状態を判断する判断部としてのＣＰＵ１５（図３に図示）とを備えた糸検出ユニット１６がそれぞれ設けられている。即ち、糸検出ユニット１６は、２４個の糸センサ１４の検知部１４ａの検出信号をＣＰＵ１５で処理して各錘の糸の状態（この実施形態では糸切れの有無）を判断する。ＣＰＵ１５は、リングプレート１１の前側に設けられた制御基板１７上に設けられている。なお、リングプレート１１の前側は図１（ａ）における下側で、後側は図１（ａ）における上側である。また、この実施形態では、制御基板１７はリングプレート１１に直接取り付けられずに、リングプレート１１の前壁１１ａに固定されるとともにリングプレート１１に沿って延びる収容部１８ａ（図３に図示）を備えた支持部材１８に支持されている。
【００２０】
糸センサ１４は、給電を必要とせずに検出信号を出力可能な構成である。詳述すると、図２に示すように、糸センサ１４は、トラベラ１３を検知する検知部１４ａと、検知部１４ａを収容するケース１９とを備えている。ケース１９は、検知部１４ａが固定された状態でリングプレート１１に固定される取り付け部１９ａと、検知部１４ａや取り付け具２０を覆うように取り付け部１９ａに固定されるカバー１９ｂとを備えている。カバー１９ｂは非磁性材料、例えば、ステンレスや樹脂で形成されている。糸センサ１４は、特許文献１に記載されたものと同様の構成である。取り付け部１９ａは、リングプレート１１に形成された取り付け孔１１ｂ及び取り付け部１９ａに形成された孔１９ｃを貫通する取り付け具２０を介してリングプレート１１に取り付けられている。取り付け具２０は、中心に孔が形成されたボルトで構成され、ナットと協働してケース１９をリングプレート１１に固定する。
【００２１】
検知部１４ａは、磁性材料製の磁気ヨークと、円板状の永久磁石と、磁気ヨークに巻回されたピックアップコイル（いずれも図示せず）とが樹脂にてモールドされた状態に構成され、ピックアップコイルに電気的に接続されたフレキシブル配線２１が延出されている。図３に示すように、フレキシブル配線２１の端部にはコネクタ２１ａが設けられている。検知部１４ａの永久磁石のＮ極からＳ極に向かう磁束により、リングプレート１１、リング１２、磁気ヨークを通る磁気回路が形成されており、ピックアップコイルは、磁性材料製のリング１２上を走行する磁性材料製のトラベラ１３が磁気回路を横切ることによる電磁誘導作用によりトラベラ１３の走行を検知する。
【００２２】
制御基板１７には各糸センサ１４の検知部１４ａからの信号をＣＰＵ１５に導くプリント配線回路（図示せず）が設けられ、そのプリント配線回路は、図３に示すように、コネクタ２１ａと接合可能なコネクタ２２ａを備えたフレキシブル配線２２に接続されている。そして、各糸センサ１４の検知信号がＣＰＵ１５に入力可能になっている。
【００２３】
各糸検出ユニット１６のＣＰＵ１５は、各糸センサ１４の検知信号の処理結果を主制御装置２３（図１（ａ）に図示）に送るようになっている。ＣＰＵ１５と、主制御装置２３との間での信号の授受は無線で行われる。主制御装置２３は、精紡機の全体の駆動制御を行う制御装置であり、予め入力された紡出条件に基づいて精紡機の各駆動部に制御信号を出力し、各錘の紡出糸の状態を各糸検出ユニット１６のＣＰＵ１５から入手して、精紡機が所定の紡出状態となるように各駆動部を制御する。無線での信号の授受は、公知の構成、例えば、ブルートゥース（Bluetooth(登録商標) ）や、ZigBeeあるいはワイヤレスＬＡＮ（ＷＬＡＮ）で行われる。
【００２４】
図１（ｂ）に示すように、各リングプレート１１には、隣り合うリングプレート１１間で電力伝送を非接触で行う非接触電力伝送装置３０がそれぞれ設けられ、非接触電力伝送装置３０を介して各糸検出ユニット１６に電力供給が行われる。詳述すると、各リングプレート１１には、受電コイル３１と、受電コイル３１に接続された整流平滑回路３２と、整流平滑回路３２の出力側に接続されたスイッチング回路３３と、スイッチング回路３３の出力側に接続された送電コイル３４と、送電コイル３４に流れる電流量を検出する電流検出回路３５とが設けられている。
【００２５】
送電コイル３４にはスイッチング回路３３を介して電流が供給され、スイッチング回路３３はコントロールＩＣ３６により制御される。この実施形態では、スイッチング回路３３として単相ＤＣ／ＡＣコンバータが使用されている。整流平滑回路３２とスイッチング回路３３との間には整流平滑回路３２の出力電圧をコントロールＩＣ３６で使用される電圧に変換してコントロールＩＣ３６へ供給するＤＣ／ＤＣコンバータ３７が設けられている。例えば、整流平滑回路３２の出力電圧は４０Ｖ程度で、ＤＣ／ＤＣコンバータ３７はその電圧を４Ｖ程度に降圧する。
【００２６】
コントロールＩＣ３６は、送電コイル３４に流れる電流の電流量の変動に対応してスイッチング回路３３のデューティ比を変更制御する。詳述すると、コントロールＩＣ３６には、送電側の電流量、即ち送電コイル３４に流れる電流の電流量と、受電側の消費電力の関係を示すマップ又は関係式がメモリに記憶（格納）されている。そして、コントロールＩＣ３６には電流検出回路３５の検出信号が入力され、コントロールＩＣ３６はその検出信号から受電側の消費電力に対応した電流量の電流が送電コイル３４に流れるように、スイッチング回路３３のデューティ比を制御する。なお、この実施形態では、コントロールＩＣ３６はＣＰＵ１５を兼ねている。
【００２７】
受電コイル３１は、リングプレート１１の一端で、かつ図示しない電源コイルに近い側に設けられ、送電コイル３４は、リングプレート１１の他端で、かつ図示しない電源コイルに遠い側に設けられている。この実施形態では、電源コイルが図１（ｂ）において、リングプレート１１の左端に配置されているため、受電コイル３１は各リングプレート１１の左端に配置され、送電コイル３４はリングプレート１１の右端に配置されている。
【００２８】
機台の一端側に配置されるリングプレート１１に設けられた非接触電力伝送装置３０への電力供給は、図４に示すように、受電コイル３１及び整流平滑回路３２を設けずに、図示しない電源からフレキシブル配線４０を介して所定の直流電力が供給されるようになっている。フレキシブル配線４０は、無理な力が加わらない状態で、リングプレート１１と一体に昇降可能になっている。なお、フレキシブル配線４０にはコネクタ４１が設けられており、切り離し可能になっている。
【００２９】
次に、前記のように構成された糸切れ検出装置の作用を説明する。
検知部１４ａに内蔵された永久磁石の磁化作用により、リングプレート１１、リング１２及び磁気ヨークに、永久磁石のＮ極からＳ極に向かう磁束により構成される磁気回路が形成される。紡出運転時にスピンドル（図示せず）の回転に伴って管糸（図示せず）が回転すると、糸切れ状態でなければトラベラ１３が管糸の回転速度に対応した速度でリングフランジ１２ａ上を走行する。そして、トラベラ１３がリングフランジ１２ａ上を１回転するたびに１回の割合で磁気回路を横切り、検知部１４ａに内蔵されたピックアップコイルの両端にはトラベラ１３の回転に同期したパルス電圧が現れる。また、糸切れ状態ではピックアップコイルからトラベラ１３の回転に同期したパルス電圧は出力されない。
【００３０】
ＣＰＵ１５（コントロールＩＣ３６）は、２４個の検知部１４ａからの出力信号を順次入力して、パルス電圧が出力されていれば正常紡出状態と判断し、パルス電圧が出力されなければ糸切れと判断する。各制御基板１７に設けられたＣＰＵ１５は、主制御装置２３からの指令信号に基づいて糸切れ錘の有無及び糸切れ錘の位置（錘番号）を主制御装置２３に出力する。主制御装置２３はＣＰＵ１５の糸切れ検出信号に基づいて各錘の紡出状態を判断する。
【００３１】
電源からは、全ての糸検出ユニット１６で使用される電力の合計量の電力が、直流電力で受電コイル３１や整流平滑回路３２を経ずにスイッチング回路３３へ供給される。コントロールＩＣ３６は、メモリに記憶されたマップ又は関係式に基づき、受電側の消費電力に対応した電流量の電流が送電コイル３４に流れるように、スイッチング回路３３のデューティ比を制御する。コントロールＩＣ３６は、電流検出回路３５の検出信号から送電コイル３４に流れる電流の電流量を確認し、電流量が変動すると、受電側の消費電力に対応した電流量の電流が送電コイル３４に流れるように、スイッチング回路３３のデューティ比を変更制御する。
【００３２】
フレキシブル配線４０を介して直流電力が供給されるリングプレート１１以外のリングプレート１１に設けられた受電コイル３１は、電源に近い側の隣接するリングプレート１１に設けられた送電コイル３４から電磁誘導で電力を受電し、受電された電力が整流平滑回路３２で平滑化されてスイッチング回路３３に供給される。そして、スイッチング回路３３がコントロールＩＣ３６により、受電側の消費電力に対応した電流量の電流が送電コイル３４に流れるように所定のデューティ比でスイッチング制御されて、送電コイル３４に受電側の消費電力に対応した電流量の電流が流れる。
【００３３】
リングプレート１１は、精紡機の保全時や紡出条件の変更時に取り外す場合がある。その際、電源にフレキシブル配線４０を介して接続されたリングプレート１１は、フレキシブル配線４０をコネクタ４１の部分で切り離した後、機台から取り外す。その他のリングプレート１１は、そのまま機台から取り外す。隣り合うリングプレート１１間には、従来と異なり、信号配線や電力送電用の電線が存在しないため、隣り合うリングプレート１１間の信号配線や電力送電用の電線の取り外しや、コネクタの接続解除の作業を行わずに、リングプレート１１を機台から取り外すことができる。
【００３４】
この実施形態によれば、以下に示す効果を得ることができる。
（１）糸検出装置は、各リングプレート１１に、錘毎に設けられた糸センサ１４と、糸センサ１４の検知部１４ａの検出信号に基づいて各錘の糸の状態を判断する判断部（ＣＰＵ１５）とを備えた糸検出ユニット１６がそれぞれ設けられている。ＣＰＵ１５と、主制御装置２３との間での信号の授受は無線で行われ、各リングプレート１１には、隣り合うリングプレート１１間で電力伝送を非接触で行う非接触電力伝送装置３０がそれぞれ設けられ、非接触電力伝送装置３０を介して各糸検出ユニット１６に電力供給が行われる。そのため、従来、リングプレート１１間に設けられていた給電用の電線や信号用の電線が不要になる。したがって、リングプレート１１の取り外し時に、糸検出ユニット１６間の信号配線及び電力伝送用の電線の取り外しや、コネクタの接続解除が不要になる。
【００３５】
（２）非接触電力伝送装置３０は、送電側に設けられた送電コイル３４と受電側に設けられた受電コイル３１との間の電磁誘導により電力伝送を行う。電磁誘導による非接触電力伝送は、光や静電誘導による非接触電力伝送に比べて、風綿の影響を受け難く、紡機で使用するのに適している。
【００３６】
（３）送電コイル３４はスイッチング回路３３を介して電流が供給され、スイッチング回路３３を制御するコントロールＩＣ３６は、送電コイル３４に流れる電流の電流量の変動に対応してスイッチング回路３３のデューティ比を変更する。そのため、送電側の電流量と受電側の消費電力の関係を事前に明らかにしておき、送電側の電流量変動に応じてデューティ比を変更して受電側の電圧を一定に制御することにより、受電側からの帰還回路を省略でき、回路の複雑化、実装面積の増大を回避することができる。
【００３７】
（４）糸センサ１４は、給電を必要とせずに検出信号を出力可能な構成である。糸センサ１４が糸検出に電力を使用する構成、例えば、光センサや静電誘導を利用したセンサの場合、１錘毎の消費電力は僅かでも、紡機１台当たりの錘数が多いため、非接触電力伝送で伝送する電力量が大きくなり、糸検出装置が大型化する。しかし、糸センサ１４は、給電を必要とせずに検出信号を出力可能な構成であるため、糸検出装置の大型化を回避することができる。
【００３８】
（５）機台の一端側に配置されるリングプレート１１には、受電コイル３１及び整流平滑回路３２を設けずに、電源から所定の直流電力がフレキシブル配線４０を介して供給され、フレキシブル配線４０は無理な力が加わらない状態で、リングプレート１１と一体に昇降可能になっている。したがって、他のリングプレート１１のように受電コイル３１及び整流平滑回路３２を設け、電源から交流電力が供給される電源用コイルをリングプレート１１上に設けて電力を供給する構成に比べて、構成が簡単になる。
【００３９】
（６）スイッチング回路３３として単相ＤＣ／ＡＣコンバータが使用されている。スイッチング回路３３として３相ＤＣ／ＡＣコンバータを使用してもよいが、単相ＤＣ／ＡＣコンバータの方が小型化に有利である。
【００４０】
（７）非接触電力伝送装置３０を構成するコントロールＩＣ３６が、糸検出ユニット１６の判断部であるＣＰＵ１５を兼ねている。したがって、それぞれを別々に設ける構成に比べて構成が簡単になる。
【００４１】
（８）受電コイル３１で受電されて整流平滑回路３２から出力される電圧が、コントロールＩＣ３６の使用電圧より高圧となるように構成されている。したがって、ＤＣ／ＤＣコンバータ３７を使用してコントロールＩＣ３６に電圧を降圧する必要は有るが、隣接するリングプレート１１に設けられた非接触電力伝送装置３０の受電コイル３１に所定の電力を供給することが容易になる。
【００４２】
実施形態は前記に限定されるものではなく、例えば、次のように具体化してもよい。
○  機台の一端側に配置されるリングプレート１１に設けられた非接触電力伝送装置３０への電力供給は、直流電力を供給する構成に代えて、交流電力を供給する構成にしてもよい。例えば、機台の一端側に配置されるリングプレート１１には、図５に示すように、電源用コイル３８が、支持部材３９を介して取り外し可能に固定されている。支持部材３９は図示しない締結手段によりリングプレート１１に固定されている。電源用コイル３８は、フレキシブル配線４０を介して図示しない電源から所定の交流電力が供給され、フレキシブル配線４０に無理な力が加わらない状態で、リングプレート１１と一体に昇降可能になっている。
【００４３】
○  電源用コイル３８をリングプレート１１に支持部材３９を介して固定する構成に代えて、電源用コイル３８をリングプレート１１に固定せずに、電源用コイル３８をリングプレート１１と同期して昇降させる昇降装置を設け、電源用コイル３８を専用の昇降装置で昇降させてもよい。また、電源用コイル３８をリングプレート１１と同期して昇降させずに、電源用コイル３８をリングレールの昇降範囲の中央に対応する所定位置に固定する構成としてもよい。
【００４４】
○  機台の片側に一列に設けられた複数のリングプレート１１の各糸検出ユニット１６への給電（電力伝送）は、機台の一端側に設けられた１つの電源用コイル３８から行われる構成に限らない。例えば、一列に設けられたリングプレート１１を複数のブロックに分け、ブロック毎に電源用コイル３８から電力を供給するようにしてもよい。例えば、リングプレート１１を二つのブロックに分け、機台の両端側に電源用コイル３８をそれぞれ設ける。電源用コイル３８は、リングプレート１１上に固定されても、専用の昇降装置で昇降される構成のいずれであってもよい。そして、一方のブロックのリングプレート１１に設けられた糸検出ユニット１６に対しては機台の一端側に設けられた電源用コイル３８から給電を行い、他方のブロックのリングプレート１１に設けられた糸検出ユニット１６に対しては機台の他端側に設けられた電源用コイル３８から給電を行う構成としてもよい。一列に設けられたリングプレート１１の数が偶数の場合は、両ブロックが同数のリングプレート１１を含むように、ブロックが構成され、一列に設けられたリングプレート１１の数が奇数の場合は、一方のブロックに属するリングプレート１１の数と、他方のブロックに属するリングプレート１１の数とが１違うようにブロックが構成される。
【００４５】
○  一列に設けられた複数のリングプレート１１を三つ以上のブロックに分ける場合は、中間のブロックに含まれるリングプレート１１のうち電源用コイル３８から電力供給を受ける非接触電力伝送装置３０を構成する受電コイル３１及び電源用コイル３８の配置は、他の非接触電力伝送装置３０の受電コイル３１及び送電コイル３４と異なる。例えば、図６に示すように、電源用コイル３８及び受電コイル３１は、それぞれその巻回軸がリングプレート１１の長手方向に沿って延びる状態に配置される。電源用コイル３８及び受電コイル３１を、それぞれその巻回軸がリングプレート１１の長手方向と直交する方向に延びる状態に配置することも可能であるが、リングプレート１１の長手方向に沿って延びるように配置する方が、電源用コイル３８の昇降に伴って電源用コイル３８に接続されたフレキシブル配線４０が移動する際のスペースを確保し易い。なお、送電コイル３４はリングプレート１１の端部に配置する必要があるが、受電コイル３１は必ずしもリングプレート１１の端部に配置する必要はなく、整流平滑回路３２及びスイッチング回路３３の配置間隔を狭めて、送電コイル３４及び電源用コイル３８の配置位置をリングプレート１１の長手方向の中央部や中央寄りの位置に配置してもよい。その場合、受電コイル３１と整流平滑回路３２及び整流平滑回路３２とスイッチング回路３３を接続するプリント配線の長さを短くできる。
【００４６】
○  電源用コイル３８をリングプレート１１に設ける場合、電源用コイル３８を支持部材３９を介して取り外し可能に固定せずに、電源用コイル３８をリングプレート１１に取り外し不能に固定し、電源用コイル３８をコネクタを有するフレキシブル配線を用いて電源と接続してもよい。この場合、リングプレート１１を機台から取り外す場合、フレキシブル配線のコネクタによる接続を解除した状態で、リングプレート１１を機台から取り外す。
【００４７】
○  リング精紡機として錘数が１０００錘近い長大機台の場合、機台の長手方向の中央に駆動部を設け、紡出部が両側に設けられた構成を採用してもよい。この場合、リングプレート１１は機台の全長に亘って所定間隔で一列に設けられるのではないが、機台の長手方向の中央を挟んで両側にそれぞれ配置されるリングプレート１１は所定間隔で一列に配置される。それらのリングプレート１１に設けられた糸検出ユニット１６に対する電力の非接触給電は、前述の非接触電力伝送装置３０を用いて行われる。
【００４８】
○  糸検出装置は糸センサ１４の検出信号に基づいて糸切れの有無のみを判断するものに限らず、糸切れの有無の他に甘撚りか否かをも判断可能なものであってもよい。甘撚りか否かの判断を行う場合は、糸センサ１４からトラベラ１３の回転数に対応して出力されるパルス信号の単位時間当たりのパルス数をカウントして、トラベラ１３の単位時間当たりの回転数を算出する。そして、その回転数と紡出速度とから当該錘の紡出糸の撚数を演算し、設定された撚数と比較することにより甘撚りか否かの判断を行う。
【００４９】
○  給電を必要とせずに検出信号を出力可能な糸センサ１４の構成は、検知部１４ａとして、磁性材料製の磁気ヨークと、円板状の永久磁石と、磁気ヨークに巻回されたピックアップコイルとが樹脂にてモールドされた状態に構成され、ピックアップコイルに電気的に接続されたフレキシブル配線２１が延出された構成に限らない。例えば、検知部１４ａを、磁性材料製の磁気ヨークと、磁気ヨークに巻回されたピックアップコイルとが樹脂にてモールドされた構成とし、トラベラ１３を永久磁石製としてもよい。この場合、トラベラ１３がリングフランジ１２ａ上を走行するのに伴うピックアップコイルとの距離の変化による電磁誘導作用による検出信号の変化から、ＣＰＵ１５は糸切れの有無や甘撚りか否かの判断を行う。
【００５０】
○  非接触電力伝送装置は、送電側に設けられた送電コイル３４と受電側に設けられた受電コイル３１との間の電磁誘導により電力伝送を行う構成に限らない。例えば、光や静電誘導で電力伝送を行う構成や磁場共鳴で電力伝送を行う構成としてもよい。
【００５１】
○  糸センサ１４は、給電を必要とせずに検出信号を出力可能な構成に限らず、給電を必要とするものであってもよい。例えば、投受光型の光センサを用いた構成や、静電誘導型のセンサであってもよい。
【００５２】
○  判断部としてのＣＰＵ１５と、コントロールＩＣ３６とをそれぞれ別に設けてもよい。
○  コントロールＩＣ３６に電力を供給するＤＣ／ＤＣコンバータ３７を設けずに、整流平滑回路３２とスイッチング回路３３との間にコントロールＩＣ３６を直接接続してもよい。この場合、受電コイル３１で受電され、整流平滑回路３２で平滑された出力電圧がコントロールＩＣ３６の電源電圧に適した電圧となるように、受電コイル３１を構成する。
【００５３】
○  スイッチング回路３３は単相ＤＣ／ＡＣコンバータに限らず、３相ＤＣ／ＡＣコンバータを使用してもよい。
○  送電コイル３４に流れる電流の量を電流検出回路３５で検出し、検出された電流量に基づいてスイッチング回路３３のデューティ比を変更する構成に代えて、予め設定されたデューティ比でスイッチング回路３３を駆動制御してもよい。
【００５４】
○  ＤＣ／ＤＣコンバータ３７に代えてレギュレータ、例えば、三端子レギュレータを使用してもよい。
○  糸センサ１４はリング１２毎に設けられる構成に限らず、錘毎に設けられた検知部１４ａを有する構成であればよい。例えば、２個の検知部１４ａを備えた糸センサ１４を２個のリング１２に対して１個の割合で設けたり、糸センサ１４として検知部１４ａを３個以上備えた構成を採用して、３個以上のリング１２に対して１個の割合で設けたりしてもよい。
【００５５】
○  支持部材１８を設けずに、制御基板１７をリングプレート１１の前壁１１ａに形成したねじ孔に螺合するねじやボルトで直接取り付けたり、リングプレート１１の前壁１１ａに形成した孔を貫通するねじやボルト及びナットで直接取り付けたりしてもよい。
【００５６】
○  １個のリングプレート１１に設けられるリング１２の数は２４個に限らず、２４個より多くても少なくてもよい。
○  １個のリングプレート１１に設けられた糸センサ１４の全ての検知部１４ａの検知信号を１個の制御基板１７に設けられた１個のＣＰＵ１５で処理する代わりに、複数の制御基板１７に設けられた複数のＣＰＵ１５で処理する構成にしてもよい。
【００５７】
○  各糸センサ１４に対応するＣＰＵ１５では、糸の状態を判断せずに糸の状態を示す情報を取り込み送る機能にとどめ、別に設置した制御装置又は紡績機の制御機能に取り込んで糸切れなど糸の状態を判断しても良い。
【００５８】
○  糸センサ１４は取り付け部１９ａと、取り付け部１９ａ及び検知部１４ａを覆うカバー１９ｂとを備える構成に限らない。例えば、カバー１９ｂを設けずに、検知部１４ａと取り付け部とが一体に形成された構成としてもよい。
【００５９】
○  リングプレート１１は断面逆Ｕ字状に限らず、例えば、断面クランク形状として、糸センサ１４をリングプレート１１の後壁に取り付ける構成としてもよい。
○  発明が適用される紡機はリング精紡機に限定されるものではなく、機台にリングプレート１１が複数設けられた紡機であればよく、例えば、リング撚糸機に本発明を適用してもよい。
【００６０】
以下の技術的思想（発明）は前記実施形態から把握できる。
（１）請求項１〜請求項４のいずれか一項に記載の発明において、前記非接触電力伝送装置に電源の電力を供給する電源コイルは、前記リングプレートに対して一体に昇降可能に設けられている。
【符号の説明】
【００６１】
１１…リングプレート、１４…糸センサ、１４ａ…検知部、１５…判断部としてのＣＰＵ、１６…糸検出ユニット、２３…主制御装置、３０…非接触電力伝送装置、３１…受電コイル、３３…スイッチング回路、３４…送電コイル、３６…コントロールＩＣ。
【図１】
0005552662.tif 000002
【図２】
0005552662.tif 000003
【図３】
0005552662.tif 000004
【図４】
0005552662.tif 000005
【図５】
0005552662.tif 000006
【図６】
0005552662.tif 000007